(57)【要約】【課題】画質が高く認証の精度を向上可能な認証情報を記憶した記憶媒体、認証カード、認証方法、認証装置および認証システムを提供する。【解決手段】画像データと付帯データとを含む認証情報を記憶し、この認証情報に基づいて被写体を認証する認証装置６により読取可能な記憶媒体６１であって、画像データに、認証に供される被写体の元画像データの主要部を含む領域が一つの最小データ圧縮単位として圧縮処理されてなる主要部データを含ませる。【選択図】          図６
2004234340.tif 000002
【特許請求の範囲】
【請求項１】
画像データと付帯データとを含む認証情報を記憶し、当該認証情報に基づいて被写体を認証する認証装置により読取可能な記憶媒体であって、
前記画像データは、認証に供される被写体の元画像データの主要部を含む領域が一つの最小データ圧縮単位として圧縮処理されてなる主要部データを含むことを特徴とする記憶媒体。
【請求項２】
画像データと付帯データとを含む認証情報を二次元バーコード化して記憶し、当該認証情報に基づいて被写体を認証する認証装置により読取可能な記憶媒体であって、
前記画像データは、認証に供される被写体の元画像データの主要部を含む領域が一つの最小データ圧縮単位として圧縮処理されてなる主要部データを含むことを特徴とする記憶媒体。
【請求項３】
請求項１または２に記載の記載の記憶媒体において、
前記圧縮処理は、ウェーブレット変換を用いて行うことを特徴とする記憶媒体。
【請求項４】
請求項１〜３のいずれか一項に記載の記憶媒体において、
前記画像データは、前記元画像データの主要部以外の領域を、前記主要部データと異なる圧縮率で圧縮処理されてなる背景データを含むことを特徴とする記憶媒体。
【請求項５】
請求項１〜４のいずれか一項に記載の記憶媒体において、
前記付帯データは、カテゴリー毎に意味付けされたテキスト形式で記述されていることを特徴とする記憶媒体。
【請求項６】
請求項５記載の記憶媒体において、
前記付帯データは、前記画像データが記憶されるファイルと同一のファイルに記憶されていることを特徴とする記憶媒体。
【請求項７】
請求項１〜６のいずれか一項に記載の記憶媒体を備えたことを特徴とする認証カード。
【請求項８】
被写体の認証を行う認証方法であって、
認証時に、認証に供される被写体の実画像データとその付帯データとを認証情報として取得し、
取得された認証情報と、請求項７記載の認証カードから読み取った認証情報とを照合して、両認証情報の一致を検証し、
その検証結果に基づいて被写体を認証することを特徴とする認証方法。
【請求項９】
請求項８に記載の認証方法において、
前記認証情報を照合する際に、前記実画像データと前記画像データとに関しては、前記実画像データの主要部を含む領域と前記主要部データとを照合することを特徴とする認証方法。
【請求項１０】
請求項１〜６のいずれか一項に記載の記憶媒体を備えた認証装置であって、
認証時に、認証に供される被写体の実画像データとその付帯データとが認証情報として入力される認証情報入力部と、
認証情報入力部により入力された認証情報と、前記記憶媒体に予め記憶された認証情報とを照合して、両認証情報の一致を検証し、その検証結果に基づいて被写体を認証する認証部と、
を備えたことを特徴とする認証装置。
【請求項１１】
請求項７記載の認証カードの記憶媒体から前記認証情報を読み取る認証情報読取装置と、
認証時に、認証に供される被写体の実画像データとその付帯データとが認証情報として入力される認証情報入力装置と、
前記認証情報読取装置により読み取られた認証情報と、前記認証情報入力装置から入力された認証情報とを照合して、両認証情報の一致を検証し、その検証結果に基づいて被写体を認証する認証装置と、
が互いに接続されていることを特徴とする認証システム。
【発明の詳細な説明】
【０００１】
【発明の属する技術分野】
本発明は、認証に供される被写体の認証情報を記憶した記憶媒体、認証カード、認証方法、認証装置および認証システムに関する。
【０００２】
【従来の技術】
近年、クレジットカードやキャッシュカードを利用した商取引、各種ネットワークへの接続、建物や部屋への入室管理等、種々のシステムにおいて利用者の認証が行われる場面が増えている。利用者の認証とは、その利用者がそのシステムの使用が許可された正規の利用者であるかどうかを判定することをいい、主として、パスワードや筆跡に基づいて行われている。セキュリティをより重視する場面では、顔画像、指紋、網膜、虹彩、掌形等の個人識別性の高い認証情報に基づいて行われる場合もある。
【０００３】
このような認証を行うシステムにおいては、クレジットカード、キャッシュカードの他、社員証、免許証等の認証カードが広く使用されている。従来、認証カードは磁気カード等から構成され、ＩＤ番号等のデータ量の少ない情報が記憶されていた。しかしながら、近年、ＩＣカードや二次元バーコードを利用した認証カードが提案されており、顔画像等の比較的データ量の大きい認証情報も認証カードに記憶させることができるようになってきた。
また、画像の自動認識技術の発達により、認証時にデジタルカメラ等で取り込んだ所有者の実画像データと、認証カード内に記憶された画像データとを照合し、その類似度から両データが同一であるか否かを自動で判断することも行われるようになってきた（例えば、特許文献１、２参照）。
【０００４】
【特許文献１】
特開２００１−９２９６３号公報
【特許文献２】
特開２００２−２５１３８０号公報
【０００５】
【発明が解決しようとする課題】
しかしながら、上記従来の画像の自動認識技術（特許文献１、２）では、両画像データから種々の特徴量を求め、その特徴量の一致により両者の一致を判断している。このため、画像データにノイズ等が含まれると特徴量抽出の精度が低下し、照合の精度も低下する恐れがある。
【０００６】
一方、二次元バーコードやＩＣカードの記憶容量は比較的大きいものの、顔画像等のデータ量の大きい画像データは圧縮して記憶せざるを得ない。
しかしながら、一般的な画像圧縮方式として現在広く用いられているＪＰＥＧ（Ｊｏｉｎｔ    Ｐｈｏｔｏｇｒａｐｈｉｃ    Ｃｏｄｉｎｇ    Ｅｘｐｅｒｔｓ  Ｇｒｏｕｐ）方式では、圧縮率を高くするとブロックノイズやモスキートノイズが発生し、画質が劣化する場合がある。
【０００７】
ブロックノイズは、ＪＰＥＧ方式において元画像データを８×８画素のブロック毎に分割し、それを１つのデータ圧縮単位として圧縮処理を行うために生じるものであり、圧縮率をあげるために圧縮係数を粗く量子化することによって隣接するブロックの境界が視覚的に認識されてしまうものである。
【０００８】
モスキートノイズは、画像のエッジ部分で蚊が飛んでいるようなノイズが発生する減少で、高周波成分に相当する圧縮係数を量子化した際に、その影響が復元された画像に分散されるためと言われている。特に圧縮率を高くすると、高周波成分が粗く量子化されるので、その影響が大きくなる。
【０００９】
このため、二次元バーコードやＩＣカード等に記憶可能なデータ量までにＪＰＥＧ方式で画像データを圧縮すると、照合の精度が低下する恐れがあった。
【００１０】
これに対して、近年、ＪＰＥＧ方式に換わる画像圧縮方式として注目を集めているＪＰＥＧ２０００方式は、画像データをウェーブレット変換等により複数の解像度毎あるいは濃度分解能毎の階層データに分解し、分解された各解像度あるいは各濃度分解能の階層データを階層順に符号化し、画像データをブロック毎に処理しないためブロックノイズが生じない。また、低周波領域に対しては広い範囲で直交変換を行い、高周波領域に対しては狭い範囲で直交変換が可能であるため、画像のエッジ周辺部における量子化の影響の空間的な広がりを抑えることができ、モスキートノイズも抑えることができる。
【００１１】
しかしながら、ＪＰＥＧ２０００方式においても、符号化と復号化を並列に独立に実行し、処理負担を軽減する目的で、タイリングといわれる手法を用いることがある。タイリングとは、画像を小さな領域に複数分割し、各領域を独立にウェーブレット変換を施して符号化する方法である。この場合、ＪＰＥＧ方式と同様に、圧縮率が高くなると、分割された領域の境界がノイズとして現れることがあり、画質が低下する恐れがあった。
【００１２】
本発明の課題は、画質が高く認証の精度を向上可能な認証情報を記憶した記憶媒体、認証カード、認証方法、認証装置および認証システムを提供することである。
【００１３】
【課題を解決するための手段】
上記課題を解決するために、請求項１記載の発明は画像データと付帯データとを含む認証情報を記憶し、当該認証情報に基づいて被写体を認証する認証装置により読取可能な記憶媒体であって、前記画像データは、認証に供される被写体の元画像データの主要部を含む領域が一つの最小データ圧縮単位として圧縮処理されてなる主要部データを含むことを特徴とする。
【００１４】
請求項１に記載の発明によれば、主要部データは認証に供される被写体の元画像データの主要部を含む領域が一つの最小データ圧縮単位として圧縮処理されているので、認証装置により記憶媒体に記憶された画像データを読み取り復号化したときに、当該領域についてはブロックノイズやモスキートノイズが発生しない。このため、同程度の圧縮率である場合、元画像データの主要部を複数の領域に分割して圧縮処理を行った場合に比べて、高い画質の画像データを提供することができ、認証の精度を向上することができる。
【００１５】
請求項２記載の発明は、画像データと付帯データとを含む認証情報を二次元バーコード化して記憶し、当該認証情報に基づいて被写体を認証する認証装置により読取可能な記憶媒体であって、前記画像データは、認証に供される被写体の元画像データの主要部を含む領域が一つの最小データ圧縮単位として圧縮処理されてなる主要部データを含むことを特徴とする。
【００１６】
請求項２記載の発明によれば、主要部データは認証に供される被写体の元画像データの主要部を含む領域が一つの最小データ圧縮単位として圧縮処理されているので、認証装置により記憶媒体に記憶された画像データを読み取り当該領域を復号化したときに、ブロックノイズやモスキートノイズを抑えることができる。このため、同程度の圧縮率である場合、元画像データの主要部を複数の領域に分割して圧縮処理を行った場合に比べて、高い画質の画像データを提供することができ、認証の精度を向上することができる。
【００１７】
さらに、二次元バーコードは従来の１次元バーコードと比較すると、単位面積当たりの情報量が高く、偽造が困難であるのでセキュリティを向上することができる。
【００１８】
請求項３記載の発明は、請求項１または２に記載の記載の記憶媒体において、前記圧縮処理は、ウェーブレット変換を用いて行うことを特徴とする。
【００１９】
請求項３記載の発明によれば、元画像データの主要部を例えばＪＰＥＧ２０００等のウェーブレット変換を利用する圧縮技術を用いて圧縮処理することにより、復号化したときのブロックノイズやモスキートノイズの発生を防ぐことができる。したがって、従来と同程度の圧縮率でもより高画質な画像データを記憶することができる。言い換えれば、圧縮率を高くしても画質の劣化を防止することができる。よって、記憶媒体の記憶容量が小さい場合でも高画質な画像データを記憶することができ、かつ、記憶容量が大きい記憶媒体にはより多くのユーザ等の認証情報を記憶することができる。
【００２０】
請求項４記載の発明は、請求項１〜３のいずれか一項に記載の記憶媒体において、前記画像データは、前記元画像データの主要部以外の領域を、前記主要部データと異なる圧縮率で圧縮処理されてなる背景データを含むことを特徴とする。
【００２１】
請求項４記載の発明によれば、認証の際に不要な、元画像データの主要部以外の領域を高い圧縮率で圧縮処理することができるので、画像データのデータ量を低くすることができる。
あるいは、画像データのデータ量が同じ場合、元画像データの全ての領域を一律の圧縮率で圧縮する場合に対して、元画像データの主要部を含む領域の圧縮率を低く、それ以外の領域の圧縮率を高くすることにより、元画像データの主要部を含む領域の画質を向上することができる。
【００２２】
請求項５記載の発明は、請求項１〜４のいずれか一項に記載の記憶媒体において、前記付帯データは、カテゴリー毎に意味付けされたテキスト形式で記述されていることを特徴とする。
【００２３】
請求項５記載の発明によれば、付帯データはカテゴリー毎に意味付けされたテキスト形式で記述されるので、付帯データに含まれる情報がどのカテゴリーに分類されるのかを容易に判断することができ、情報の管理や、情報の照会がより容易になる。
【００２４】
請求項６記載の発明は、請求項５記載の記憶媒体において、前記付帯データは、前記画像データが記憶されるファイルと同一のファイルに記憶されていることを特徴とする。
【００２５】
請求項６記載の発明によれば、付帯データは画像データが記憶されるファイルと同一のファイルに記憶されるので、画像データと付帯データとを逐次対応させる負荷が軽減される。
【００２６】
請求項７記載の発明の認証カードは、請求項１〜６のいずれか一項に記載の記憶媒体を備えたことを特徴とする。
【００２７】
請求項７記載の発明によれば、請求項１〜６のいずれか一項と同様の効果が得られる。
【００２８】
請求項８記載の発明は、被写体の認証を行う認証方法であって、認証時に、認証に供される被写体の実画像データとその付帯データとを認証情報として取得し、取得された認証情報と、請求項７記載の認証カードから読み取った認証情報とを照合して、両認証情報の一致を検証し、その検証結果に基づいて被写体を認証することを特徴とする。
【００２９】
請求項８記載の発明によれば、被写体の認証を行う際に、認証に供される被写体の実画像を認証カードに記憶された画像データと照合するだけでなく、付帯データを認証カードに記憶された付帯データと照合することにより、認証の精度を上げることができる。
【００３０】
すなわち、画像の自動認識技術を用いて画像の照合を行う際に、完全に一致すると判断するのは困難であるので、両者の照合率を求め、その照合率が予め定めた基準値以上であるか否かによりユーザを認証することになるが、ユーザのＩＤ番号やパスワードのようなユーザに関連した付帯データを共に照合することによって精度を向上することができる。
【００３１】
請求項９記載の発明は、請求項８に記載の認証方法において、前記認証情報を照合する際に、前記実画像データと前記画像データとに関しては、前記実画像データの主要部を含む領域と前記主要部データとを照合することを特徴とする。
【００３２】
請求項９記載の発明によれば、実画像データと画像データとを照合する際に、全データを照合するのではなく、実画像データの主要部を含む領域と、画像データに含まれる主要部データとを照合すればよいので、照合の際の負荷が軽減される。
【００３３】
請求項１０記載の発明は、請求項１〜６のいずれか一項に記載の記憶媒体を備えた認証装置であって、認証時に、認証に供される被写体の実画像データとその付帯データとが認証情報として入力される認証情報入力部と、認証情報入力部により入力された認証情報と、前記記憶媒体に予め記憶された認証情報とを照合して、両認証情報の一致を検証し、その検証結果に基づいて被写体を認証する認証部と、を備えたことを特徴とする。
【００３４】
請求項１０記載の発明によれば、認証情報にはそれぞれ画像データと付帯データとが含まれているので、画像だけでなく付帯データを合わせて照合することにより認証の精度を向上させることができる。
【００３５】
請求項１１記載の発明は、請求項７記載の認証カードの記憶媒体から前記認証情報を読み取る認証情報読取装置と、認証時に、認証に供される被写体の実画像データとその付帯データとが認証情報として入力される認証情報入力装置と、前記認証情報読取装置により読み取られた認証情報と、前記認証情報入力装置から入力された認証情報とを照合して、両認証情報の一致を検証し、その検証結果に基づいて被写体を認証する認証装置と、が互いに接続されていることを特徴とする。
【００３６】
請求項１１記載の発明によれば、請求項７と同様の効果が得られるのは勿論のこと、認証情報にはそれぞれ画像データと付帯データとが含まれているので、画像だけでなく付帯データを合わせて照合することにより認証の精度を向上させることができる。
【００３７】
【発明の実施の形態】
以下、図を参照して第１〜第５の実施の形態を詳細に説明する。
〈第１の実施の形態〉
まず第１の実施の形態の記憶媒体について説明する。記憶媒体は、認証システム等において認証の際、被写体を認証する認証装置により読み取られる認証情報を記憶したものである。
【００３８】
記憶媒体としては、半導体メモリ、ハードディスク、フロッピー（登録商標）ディスク、ＣＤ−ＲＯＭ（Ｃｏｍｐａｃｔ  Ｄｉｓｃ  Ｒｅａｄ  Ｏｎｌｙ  Ｍｅｍｏｒｙ）、ＭＯ（ｍａｇｎｅｔｏ−ｏｐｔｉｃ）、ＤＶＤ（Ｄｉｇｉｔａｌ  Ｖｅｒｓａｔｉｌｅ  Ｄｉｓｋ）等各種のものを用いることができる。また、後述するが、認証情報を二次元バーコード化してカード状の媒体等に印刷してもよい。
【００３９】
ここで、認証情報は認証に供される被写体の画像データと、被写体あるいはその所有者／管理者等に関する付帯データを含む。
【００４０】
認証に供される被写体とは、人であってもよいし、物であってもよいし、動物であってもよいが、その被写体を特定することができる識別性の高い部分を含むことが求められる。例えば、人の場合、その人の顔、指紋、網膜、虹彩、掌形等を指す。被写体が物の場合、例えば、印鑑証明等の場合、印鑑（実印等）の印面等を指す。動物の場合、その動物の鼻紋、耳紋等を指す。
【００４１】
画像データは、デジタルカメラ等で上記被写体を撮影することにより得られる元画像データあるいは印画紙に出力された画像をスキャナ等で読み取ることによって得られた元画像データを圧縮処理したものを指す。また、画像データは、元画像データの主要部を含む領域を圧縮処理した主要部データと、主要部を含む領域以外の領域を圧縮処理した背景データとを含んでいる。
【００４２】
元画像データの主要部を含む領域とは、認証の際に重要な被写体の主要部を指す。主要部とは、例えば、顔画像に基づいて人の認証を行う際にはその人の顔、指紋画像に基づいて人の認証を行う際にはその人の指紋を指す。
【００４３】
主要部を含む領域は、主要部のみを含むものであっても、主要部の周囲を含むものであってもよい。例えば、主要部の縦最大幅、横最大幅に対応する辺の長さをもつ矩形の領域、主要部を囲む円形、楕円形、三角形、台形等の領域、これらの領域に適宜マージンを加えたもの等を指す。
【００４４】
具体的には、元画像データが人の胸から上の胸像を示す画像１である場合、被写体１１の胸像を囲んだ矩形領域１１ａ（図１（ａ）参照）、台形領域１１ｂ（図１（ｂ）参照）、被写体の顔（主要部）のみを囲んだ円形領域１１ｃ（図１（ｃ）参照）等をさす。
また、元画像データが印鑑（実印等）を示す画像２である場合、印鑑の周囲を一定のマージンを有して囲む円形領域２１等を指す（図２参照）。
【００４５】
また、図３に示すように、横幅Ｗ１が元画像３の幅Ｗ０と同じで、被写体３１の縦最大幅Ｈ１をそれぞれ辺に持つ矩形領域３２あってもよいし、元画像３全体を主要部を含む領域３０としてもよい。
【００４６】
元画像データにおいて主要部を含む領域をその背景と切り分けるには、公知の領域抽出技術を用いることができる。例えば、図２に示すように、被写体が印鑑である場合、印鑑とその周囲の領域（背景）との境界が明確であるため、比較的容易に画像処理技術によってその領域を切り分けることができる。図１および図３に示すように、被写体が胸像等の場合であっても、撮影時の背景を例えば一様な色にすることで、主要部としての被写体と背景データとを精度よく切り分けることができる。
【００４７】
主要部データは、元画像データの主要部を含む領域を一つの最小データ圧縮単位として、ブロッキングやタイリング等を行うことなく圧縮処理されている。このとき、元画像データの主要部を含む領域が元画像データの全体に相当する場合には、元画像データ全体を一つの最小データ圧縮単位として圧縮処理が行われる。
【００４８】
背景データは、元画像データの主要部を含む領域以外の領域を一つのデータ圧縮単位として圧縮処理されたものである。元画像データの主要部を含む領域が元画像データの全体に相当する場合には、画像データに背景データが含まれない場合もある。
【００４９】
また、主要部データの圧縮率と背景データの圧縮率を異なるものとすると好ましい。例えば、背景データの圧縮率を主要部データの圧縮率よりも高くすることで、認証の精度に影響を与えずに、画像データのデータサイズを小さくすることができる。また、ある限られたデータサイズにおいて、主要部データと背景データの圧縮率が等しい場合と比較すると、主要部データの圧縮率を低く、背景データの圧縮率を高くすることにより、元画像データの主要部の画質の劣化を防止することができる。
【００５０】
元画像データの圧縮処理に際しては、ウェーブレット変換を利用した画像圧縮技術を用いることが好ましい。ウェーブレット変換を利用した画像圧縮技術として、例えば、ＪＰＥＧ２０００方式を挙げることができる。ＪＰＥＧ２０００方式は、元画像データを複数の解像度毎あるいは濃度分解能毎の階層データに分解し、分解された各解像度あるいは各濃度分解能の階層データを階層順に符号化することにより元画像データを圧縮する方式である。
【００５１】
ＪＰＥＧ２０００方式では、画像中のある注目範囲（Ｒｅｇｉｏｎ  Ｏｆ  Ｉｎｔｅｒｅｓｔ：ＲＯＩ）を指定し、ＲＯＩの画像は他の領域とは異なる圧縮率で圧縮する機能を有している。したがって、ＪＰＥＧ２０００方式を用いて画像データを圧縮する場合、元画像データの主要部を含む領域をＲＯＩとすることができる。
【００５２】
圧縮率の異なる主要部データと背景データを生成するには次のようにすることができる。まず、画像中のＲＯＩ部分（元画像データの主要部を含む領域）をビットプレーンイメージとして作成し、これをＲＯＩマスクとする。そして、画像を離散ウェーブレット変換する。これにより得られた係数を符号化する際に、ＲＯＩ部分に属している係数に対して、ＲＯＩに属していることを示す符号（ＲＯＩマスク符号）を付加する。そして、ＲＯＩ部分と非ＲＯＩ部分を別シーケンス（符号列）として圧縮符号化する。つまり、デコーダによる伸長時には、あたかもＲＯＩ画像と非ＲＯＩ画像の複数種類の画像が存在するように見える。
【００５３】
また、他の方法で圧縮率の異なる主要部データと背景データを生成することもできる。例えば、上記と同様にＲＯＩマスクを生成し、離散ウェーブレット変換後の係数を符号化する際に、ＲＯＩ部分に属している係数を所定レベル分シフトアップさせる。ＪＰＥＧ２０００方式に準ずる画像圧縮方式では、上位ビットプレーンを優先して符号化し、下位ビットの符号化は状況に応じて省かれる。したがって、ＲＯＩ部分に属する係数を所定レベル分シフトアップさせることによって、ＲＯＩ部分については相対的に下位ビットまで符号化されるため高画質化を図ることができる。
【００５４】
なお、圧縮率の異なる主要部データと背景データを生成する方法は、上記したＪＰＥＧ２０００方式、あるいはこれに準ずる方法に限定されるものではい。
【００５５】
また、ＪＰＥＧ２０００方式を用いて元画像データの圧縮するには、具体的には、ＲＩＣＯＨ（株）製のＬＳＩ等を用いて、ｊａｓｐｅｒ、ｋａｋａｄｕ等のフリーソフト、Ｌｕｒａ  Ｔｅｃｈ社から配布される画像処理アプリケーションＰｈｏｔｏｓｈｏｐ（Ａｄｏｂｅ（株）製）のプラグイン等を利用して行うことができる。
【００５６】
付帯データとは、認証に供される人、物または動物を特定することができる情報（データ）、すなわち認証に供される被写体と他とを識別することのできる被写体に関連した情報等をいう。例えば、人の場合、付帯データとしては、氏名、性別、生年月日、住所、電話番号、ＦＡＸ番号、住民票コード、診察券ＮＯ．等のＩＤコード（ＩＤ番号）、パスワード等を挙げることができる。また、物の場合、例えば、実印登録した印鑑等の場合は、印鑑登録番号等その物に固有の番号やその所有者／管理者等に関する上記付帯データを挙げることができる。また、動物の場合、個体識別Ｎｏ．等その動物に固有の番号やその所有者／管理者等に関する上記付帯データを挙げることができる。
【００５７】
付帯データは、カテゴリー毎に意味付けされたテキスト形式で記述されていると好ましい。カテゴリー毎に意味付けされたテキスト形式とは、一定のルールに従って情報にタグと呼ばれる注釈記号を付けた状態でテキスト形式で記述することをいう。例えば、ＳＧＭＬ（Ｓｔａｎｄａｒｄ  Ｇｅｎｅｒａｌｉｚｅｄ    Ｍａｒｋｕｐ    Ｌａｎｇｕａｇｅ）、ＸＭＬ（Ｅｘｅｎｓｉｂｌｅ    Ｍａｒｋｕｐ    Ｌａｎｇｕａｇｅ）、ＨＴＭＬ（Ｈｙｐｅｒ    Ｔｅｘｔ    Ｍａｒｋｕｐ    Ｌａｎｇｕａｇｅ）、ＶＭＬ（Ｖｅｃｔｏｒ  Ｍａｒｋｕｐ  Ｌａｎｇｕａｇｅ）等のマークアップ言語を用いて記述することができる。
【００５８】
例えば、（１）単にテキスト形式で“山田太郎”と記述されている情報と、（２）ＸＭＬ方式で“＜ｎａｍｅ＞山田太郎＜／ｎａｍｅ＞”と記述されている情報とを比較すると、（１）は仮にコンピュータ等が「山田太郎」という文字列の意味を理解できたとしても、それを「氏名」として処理するという判断はできないのに対して、（２）の場合は、＜ｎａｍｅ＞というマークアップが施されているので、コンピュータ等は「山田太郎」という情報を「氏名」として扱うことができる。
【００５９】
すなわち、付帯データに含まれる氏名等の各種情報にそれぞれカテゴリー毎にマークアップして、意味付けすることによりそれぞれの情報が何を意味する情報なのかをコンピュータ等にも容易に判断させることができる。これにより、付帯データの管理や付帯データに基づいて照合する際の処理が容易になり、負荷が軽減される。
【００６０】
この付帯データは、画像データと同一のファイルフォーマット中に記憶されることが好ましい。例えば、ＪＰＥＧ２０００方式では、そのファイルフォーマット中にＸＭＬを記述できる領域がオプションとして用意されているため、付帯データをＸＭＬ方式で記述することにより画像データのファイル中に記憶させることができる。
【００６１】
本実施の形態によれば、主要部データは認証に供される被写体の元画像データの主要部を含む領域が一つの最小データ圧縮単位として圧縮処理されているので、復号化したときに当該領域についてはブロックノイズやモスキートノイズが発生しない。このため、同程度の圧縮率である場合、元画像データの主要部を複数の領域に分割して圧縮処理を行った場合に比べて、高い画質の画像データを提供することができ、認証の精度を向上することができる。
【００６２】
また、ＩＣカードに搭載されるＩＣチップや二次元バーコードの様に記憶媒体の記憶容量が比較的小さい場合でも高画質な画像データを記録することができ、かつ、ハードディスクやＣＤ−ＲＯＭ、ＭＯ、ＤＶＤ等の様に記憶容量が大きい記憶媒体にはより多くの個数の認証情報を記憶することができる。
【００６３】
〈第２の実施の形態〉
次に、図４を参照して第２の実施の形態の認証カード４について説明する。認証カード４は、第１の実施の形態で説明した記憶媒体を内蔵したものであり、具体的には、樹脂製カード４０等にＩＣ（Ｉｎｔｅｇｒａｔｅｄ  Ｃｕｉｃｕｉｔ）チップ４１を内蔵したＩＣカードを挙げることができる。ＩＣチップ４０は、上記記憶媒体としての不揮発性メモリやＣＰＵを有しており、ＣＰＵにより不揮発性メモリへのアクセスを制御することができる。
【００６４】
ＩＣカードは、ＩＣカード用のリーダライタ（ｒｅａｄｅｒ  ｗｒｉｇｈｔｅｒ）との間で記憶媒体に記録されたデータの授受を行うことができる。リードライタとの間でデータの授受を行うインターフェースの方式によって、接触型と非接触型に大別することができる。
【００６５】
接触型ＩＣカードはその表面に金属端子を備えている。ＩＣカードをリードライタに挿入することにより、リードライタから電力の供給を受け、データの授受を行う。
【００６６】
一方、非接触型ＩＣカードは、コイルアンテナを内蔵している。ＩＣカードとリードライタ間の信号の授受はこのアンテナを介して行われる。また、リードライタから出力される磁界（この磁界とは、電磁波の意味を含む）によりコイルアンテナに発生する誘導起電力が動作電力として供給される。すなわち、非接触の状態で電波を介してデータと電力の授受が行われる。
【００６７】
この様な認証カード４は、例えば、クレジットカード、キャッシュカード、ＳＵＩＣＡ（登録商標）等の電子マネーシステムの利用カード、社員証、各種免許証、印鑑登録証、パスポート、その他種々の認証カード４等として使用することができる。
【００６８】
認証カード４を利用するシステムとしては、クレジットカード、キャッシュカード等を利用した商取引システム、ネットワークへの接続管理システム、セキュリティを重視する建物や部屋の入室管理システム、あるいはセキュリティを重視するデータ等へのアクセス管理システム等の既存のシステムの他、認証がされた場合にのみエンジンが作動する自動車の運転システムや、ペットの首輪等に小型化した認証カードを取り付けておくことで迷子ペットの所有者を探索するシステム等、各種の新規システムに適用することができる。
【００６９】
本実施の形態における認証カード４は、ＣＰＵがメモリへのアクセスを制御するので、データの改竄が困難であり、認証カード４を紛失した場合でも、他者の不正使用を防止することができる。
【００７０】
〈第３の実施の形態〉
次に、図５を参照して第３の実施の形態の認証カード５について説明する。本第３の実施の形態における認証カード５は、第１の実施の形態で説明した認証情報を記録する媒体として、二次元バーコード５１を利用したものである。以下、二次元バーコード５１を中心に述べる。
【００７１】
二次元バーコード５１は、水平方向と垂直方向の二次元に情報をもつバーコードであり、スタック式とマトリックス式の２種類がある。スタック式バーコードは、図２に示すように、１次元のバーコードを縦に積み重ねたものであり、スーパーコード、ＰＤＦ４１７、ＣＯＤＥ−４９、ＣＯＤＥ−１６Ｋ等がある。マトリックス式（図示略）は、情報を白黒の桝目（セル）で縦横のモザイク状に表示したものであり、データマトリックスコード（データコード）、マキシコード、ＱＲコード等がある。
【００７２】
二次元バーコード５１を生成する手段としては、例えば、アドバンスソフトウェア（株）、アイニックス（株）等から市販されているものを用いることができる。また、二次元バーコード５１を読み取る手段としても上記アイニックス（株）製のバーコードリーダの他、各種市販されているものを使用することができる。
【００７３】
また、認証情報を二次元バーコード化する際に、画像データと付帯データとを併せて一つの二次元バーコードとしてもよいし、各々別の二次元バーコードとしてもよい。
【００７４】
この様な認証カード５は、上記と同様に、例えば、クレジットカード、キャッシュカード、社員証、各種免許証、印鑑登録証、パスポート、その他種々の認証カード５等として使用することができる。認証情報を二次元バーコード化してカード状の媒体５０に印刷することにより、データの改竄等を防止し、認証カード５の不正使用を防止することができる。
【００７５】
〈第４の実施の形態〉
次に、図６〜図９を参照して第４の実施の形態の認証装置６を説明する。
認証装置６は、第１の実施の形態で説明した記憶媒体６１を備えるもので、各種認証システムにおいて、被写体を認証するために用いられる。本認証装置６による認証結果に応じてシステムの利用を可または不可にしたり、認証された被写体に応じて一部利用可、全て利用可等の制限を設けたりすることができる。
【００７６】
図６に本実施の形態に係る認証装置６を示す。図６に示すように、認証装置６は、上記記憶媒体６１を備えた記憶部６２の他、認証情報入力部６３、表示部６４、ＲＡＭ６５、ＣＰＵ６６等を備えて構成される。これらはバス６７を介して互いに接続されている。
【００７７】
記憶部６２は、第１の実施の形態で説明した記憶媒体６１を固定的にあるいは着脱自在に備えたものである。
【００７８】
認証情報入力部６３は、認証時に認証に供される被写体の実画像および付帯データを認証情報として入力するもので、撮像手段６３ａと、付帯データ入力手段６３ｂとを備えている。
【００７９】
撮像手段６３ａは、認証時に認証に供される被写体の実画像データを得るものであり、光電変換機能を有する撮像素子を備えたデジタルカメラ、スキャナ等をさす。被写体の実画像データを取得可能なものであればどのようなものであってもよい。
【００８０】
撮像素子の一例としては、ＣＣＤ（電荷結合素子（ｃｈａｒｇｅ  ｃｏｕｐｌｅｄ  ｄｅｖｉｃｅ））とシフトレジスタと呼ばれる電荷転送機構と、市松模様のカラーフィルタとを組み合わせ感色性を付与したＣＣＤ型撮像素子や、ＣＭＯＳ型撮像素子が挙げられる。
【００８１】
例えば、顔画像、網膜、虹彩等の実画像データを得る場合には、デジタルカメラ等の撮像手段により取得する。
また、指紋、掌形、印鑑の場合、スキャナ等の上にこれらを載置し、スキャンさせることにより、これらの実画像データが得られる。
【００８２】
なお、これらの実画像データを得る際に、記憶媒体に記憶されている画像データとの撮像方向や大きさ等にずれが生じる場合があるので、複数の実画像データを得るものとしてもよい。
【００８３】
付帯データ入力手段６３ｂは、キーボード、タッチパネル等の各種入力装置から構成され、ＩＤ番号、氏名、性別、生年月日、住所、電話番号、ＦＡＸ番号等、各種付帯データを入力できるようになっている。
【００８４】
例えば、被写体が人である場合、被写体本人がＩＤ番号、パスワード、氏名、生年月日、住民票コード等の被写体に関連した付帯データを入力する。入力する情報は一つでも複数でも構わない。
【００８５】
被写体が物である場合、その物の所有者／管理者等がその物に固有の番号、あるいは所有者／管理者に関する個人情報等の、被写体に関連した付帯データを入力する。
【００８６】
被写体が動物である場合、その動物の管理者／所有者が動物の固体識別番号等の動物に関する情報、管理者／所有者に関する情報等の、被写体に関連した付帯データを入力する。
【００８７】
表示部６４は、認証情報入力部６３あるいは記憶媒体６１から読み出した画像データや付帯データや認証結果等を標示するもので、例えば、ＣＲＴ（Ｃａｔｈｏｄｅ  Ｒａｙ  Ｔｕｂｅ）やＬＣＤ（Ｌｉｑｕｉｄ  Ｃｒｙｓｔａｌ    Ｄｉｓｐｌａｙ）等から構成される。
【００８８】
ＣＰＵ６６は認証部として機能するもので、ＲＡＭ６５の所定領域を作業領域としてＲＯＭ（図示略）または記憶部６２に記憶されている認証プログラム等の各種制御プログラムに従い、次に説明する認証処理の他、所定の動作を行う。
【００８９】
認証処理は、図７に示すフローチャートに基づいて行われる。
まず、撮像手段６３ａにより認証に供される被写体を撮像し、被写体の実画像データを得る（ステップＳ１）。次に、付帯データ入力手段６３ｂを介して入力される付帯データを取得する（ステップＳ２）。
【００９０】
次に、付帯データ入力手段を介して入力されたＩＤ番号、氏名等に基づいて対応する被写体の認証情報を記憶媒体６１から読み取る（ステップＳ３）。
【００９１】
次に、ステップＳ１において取得した実画像データと、ステップＳ３において取得した画像データとを照合する（ステップＳ４）。このとき、実画像データの主要部と画像データの主要部データとを照合することとしてもよい。そして、両画像データの類似度を算出する（ステップＳ５）。
【００９２】
ステップＳ５において算出された類似度が閾値未満である場合（ステップＳ６：Ｎ）、両被写体は不一致であると判断し、システムを利用不可（ステップＳ７）にして処理を終了する。
【００９３】
一方、ステップＳ５において算出された類似度が閾値以上である場合（ステップＳ６：Ｙ）、両被写体は一致すると判断し、次に、ステップＳ２において取得した付帯データと、ステップＳ３において取得した付帯データとを照合し（ステップＳ８）、両付帯データの一致を検証する（ステップＳ９）。
【００９４】
両付帯データが不一致である場合（ステップＳ９：Ｎ）、システムを利用不可（ステップＳ７）にして処理を終了する。
【００９５】
一方、両付帯データが一致する場合（ステップＳ９：Ｙ）、被写体はシステムを利用可能な正規の被写体であると認証し、認証された被写体に応じて予め定められた範囲内においてシステムの利用を可能とし（ステップＳ１０）、処理を終了する。
【００９６】
なお、ステップＳ４、Ｓ５における画像データの照合処理、類似度算出処理は、ＲＯＭまたは記憶部６２に記憶された照合プログラム、類似度算出プログラム等に基づいて行うことができ、例えば、特許文献１に開示される公知の画像の自動認識技術を利用することができる。
【００９７】
例えば、顔画像の照合を行う際に、両画像データの中から顔である部分（画像データの主要部、以下、「顔画像データ」という。）をそれぞれ検出し、それぞれの顔画像データを平行移動、拡大または縮小、あるいは回転等の画像処理を行い、最適な大きさになるように正規化する。次に、正規化された各顔画像データにウェーブレット変換を施して、顔器官（目、鼻、頬骨、口、顎等）の個々の位置を詳細に検出して顔特徴点を抽出し、例えば、図８に示すように顔画像をグラフ表現する。
【００９８】
なお、ウェーブレット変換は、被写体の元画像データを圧縮処理する際にも用いる手法で、画像データの画像処理の際にも利用することができる。ウェーブレット変換は、周波数と位置情報をまとめて解析するのに適しており、顔画像データを処理することにより、顔画像の濃淡やシャープさなどの顔の特徴点を抽出することができる。
【００９９】
ウェーブレット変換のカーネルは次の（１）式で表される。ここで、ｙ、ｙは画像上の座標、＿はガウス関数の標準偏差であって、例えば２πとなる。また、ｋ、＿を変化させることでウェーブレットの解像度と方位を制御することができる。
【数１】
2004234340.tif 000003
【０１００】
なお、この手法においては、顔画像上にいくつかの特徴点を設定している。それらの特徴点は目、鼻、口などの顔器官の配置に基づいて互いの位置関係を拘束しあっており、これを図８のように表してグラフ表現とよぶ。グラフ表現中の特異点における特徴点はＪｅｔと呼ばれ、（１）式のｋ、＿を変化させて解像度と方位を変化させた図９に示すようなウェーブレット・フィルタと、特徴点の周りの顔画像を畳み込むことで計算できる。つまり、Ｊｅｔはその特徴点における顔器官の大きさと方向性を表現している。
【０１０１】
以上の様にして、両画像データから得た顔画像のグラフ表現をグラフマッチングの手法により比較照合し、例えば、下記（２）式により類似度が算出される。
【数２】
2004234340.tif 000004
但し、ａ１ｊ：記憶媒体に記録された画像データにおける特徴点ｊにおけるＪｅｔ値
ａ２ｊ：認証時に取得された実画像データにおける特徴点ｊにおけるＪｅｔ値
【０１０２】
なお、照合および類似度の算出の方法は、これに限定されるものではなく、適宜、適切な方法で行えばよい。例えば、指紋に基づいて認証する場合には、指紋の特徴量を抽出して比較する指紋照合装置などに用いられている指紋照合のためのアルゴリズムを用いることができる。
【０１０３】
本実施の形態によれば、被写体の認証を行う際に、画像データだけでなく付帯データを合わせて照合するので、認証の精度を向上させることができる。また、記憶媒体に記憶された画像データと、認証時に取得する実画像データとを照合する際に、互いの主要部データを照合することもできるので、照合の際の負荷を軽減することができる。
【０１０４】
〈第５の実施の形態〉
次に、図１０を参照して、第５の実施の形態の認証システム７を説明する。なお、上記実施の形態と同様の構成については同様の符号を振り、説明を省略する。
【０１０５】
認証システム７は、認証情報読取装置７１と、認証情報入力装置７２と、認証装置７３とが互いに接続されて構成されている。この接続は、インターネット、ＷＡＮ（Ｗｉｄｅ  Ａｒｅａ  Ｎｅｔｗｏｒｋ）、ＬＡＮ（Ｌｏｃａｌ  Ａｒｅａ  Ｎｅｔｗｏｒｋ）（有線あるいは無線）、光通信等の各種ネットワークＮを介して行うことができる。
【０１０６】
認証情報読取装置７１は、例えば、第１および第４の実施の形態において説明した記憶媒体６１、あるいは第２の実施の形態において説明した認証カード４、第３の実施の形態において説明した認証カード５に記憶された認証情報を読み取るものである。
【０１０７】
認証情報読取装置７１は、上記第４の実施の形態における認証装置６における記憶部６１と略同等の機能を有する。
【０１０８】
例えば、認証カード４の場合、認証情報読取装置７１としてＩＣカード用のリードライタを挙げることができる。このとき、リードライタで読み取られたデータが解析されて認証情報が取得される。
【０１０９】
例えば、認証カード５の場合、認証情報読取装置７１としてバーコードリーダを挙げることができる。このとき、バーコードリーダで読み取られた二次元バーコードが解析されて認証情報が取得される。
【０１１０】
認証情報入力装置７２は、認証時に認証に供される被写体の実画像および付帯データを認証情報として入力するもので、上記第４の実施の形態における認証情報入力部６３と同様の構成を有し、撮像手段６３ａ（７２ａ）と、付帯データ入力手段６３ｂ（７２ｂ）とを備えたものである。
【０１１１】
認証装置７３は、ＣＰＵ、ＲＡＭ、ＲＯＭ等を備え、ＣＰＵにおいてＲＡＭの所定領域を作業領域として、ＲＯＭまたはＲＡＭに記憶された認証プログラム等の各種制御プログラムに従い、認証処理を実行する。
【０１１２】
本認証処理は、実画像データおよび付帯データを上記認証情報入力装置７２から取得する点と、記憶媒体に記憶されている画像データおよび付帯データを認証情報読取装置７１から読み取る点以外は、図７に示すフローチャートと同様の手順で行われる。
【０１１３】
なお、本実施の形態において、認証情報読取装置７１、認証情報入力装置７２、認証装置７３を別々の装置として説明したが、全ての装置７１、７２、７３が一体に形成されていてもよいし、そのうちいずれか２つの装置が一体に形成されていてもよく、さらに認証情報入力装置７２において付帯データ入力手段７２ｂと撮像手段７２ａを別々の装置構成としてもよいのは勿論である。
【０１１４】
【実施例】
以下、実施例１〜６について説明する。
【０１１５】
〈実施例１〉
記憶容量１０Ｋｂのメモリを搭載したＩＣチップ４１を具備した認証カード４（図４参照）に、元画像データをＪＰＥＧ２０００方式により圧縮した画像データと、ユーザ（被写体）に関連する付帯データを記憶させた。
【０１１６】
元画像データの圧縮には、ＲＩＣＯＨ（株）製のＬＳＩ等を用いて、Ｌｕｒａ  Ｔｅｃｈ社から配布される画像処理アプリケーションＰｈｏｔｏｓｈｏｐ（Ａｄｏｂｅ（株）製）のプラグインを利用して行った。
圧縮する元画像データは、人の顔を表すもので、３８４×４８０、色数３、階調数２５６（３色８ｂｉｔ）（約５５３Ｋｂ）を用いた。
【０１１７】
圧縮率は、圧縮後のサイズが１０Ｋｂ以下になるように設定値を制御した。なお、元画像データの主要部を含む領域は画像全体とし、画像全体を一つの最小データ圧縮単位として、圧縮処理を行った。
目標圧縮サイズを９Ｋｂと設定した結果、元画像を約９．５Ｋｂに圧縮することができた。
【０１１８】
元画像データを圧縮して得た画像データを復号化すると、画像のエッジ部分が元の画像に比較してわずかに劣化していたものの、ほぼ元の画像に近い画質を得ることができ、認証に耐え得るレベルであった。
【０１１９】
また、元画像データを９．５Ｋｂに圧縮することができたので、０．５Ｋｂの容量の付帯データを記憶することができた。なお、これは改行、スペース等のコードを含め、半角英数字で約５００文字分のデータに相当する。
【０１２０】
付帯データとして、下記に示す付帯データ例１のように、ユーザのＩＤ、パスワード、氏名、性別、住所、電話番号、ＦＡＸ番号、メールアドレスをこの順に記憶させた。その結果、付帯データの記憶容量は１３５ｂｙｔｅとなり、メモリに十分に記憶させることができた。
【０１２１】
〈付帯データ例１〉
ＶＷＡ０５３２０
ｙａｍａｃｈａｎ
Ｔａｒｏ  Ｙａｍａｄａ
ｍａｌｅ
Ｎｏ．２９７０  Ｉｓｈｉｋａｗａ−ｍａｃｈｉ，Ｈａｃｈｉｏｕｊｉ−ｓｈｉ，Ｔｏｋｙｏ，１９２−８５０５，Ｊａｐａｎ
０１２３−４５−６７８９
９８７６−５４−３２１０
ｘｘｘｘ＠ｘｘｘｘ．ｃｏ．ｊｐ
【０１２２】
なお、記憶媒体の記憶容量が許容される範囲において、他の情報を記憶させることもできるし、半角英数字だけでなく、日本語（漢字、ひらがな、カタカナ）などの２バイトコードを用いることもできる。
【０１２３】
〈比較例１〉
上記実施例１と比較するために、ＪＰＥＧ方式を用いて実施例１と同じ元画像データを１０Ｋｂ以下になるように圧縮した。圧縮手段はＰｈｏｔｏｓｈｏｐに搭載されているＪＰＥＧ圧縮機能を用いた。圧縮率が最大となる設定で圧縮しても、圧縮後の画像データは１０．６Ｋｂにしかならなかった。また、圧縮された画像データを復号化すると、ブロックノイズやモスキートノイズが発生しており、画質も大幅に劣化していた。
【０１２４】
ＪＰＥＧ２０００方式を用いた場合、ＪＰＥＧ方式を用いた場合のいずれにおいても、認証カードの表面に印刷されるような数ｃｍ角程度のサイズの写真として用いる場合は、視覚的には大差は認められなかった。しかし、自動画像認識技術を用いて照合を行う場合にＪＰＥＧ方式で圧縮した画像データでは、ノイズにより特徴量の抽出の際に影響が生じ、実用に耐え得るレベルにはならなかった。
【０１２５】
以上の様に、元画像データの画像全体を一つの最小データ圧縮単位として、ウェーブレット変換を利用した画像圧縮技術であるＪＰＥＧ２０００を利用して圧縮処理することにより、復号化したときのブロックノイズやモスキートノイズの発生を抑え、高い画質の画像データを提供することができ、認証の精度を向上することができる。
【０１２６】
〈実施例２〉
実施例１において、ＪＰＥＧ２０００方式で圧縮した場合と同程度の画質になるようにＪＰＥＧ方式の圧縮率を変化させた。その結果、ＪＰＥＧ方式で圧縮した場合のデータ量は１９．３Ｋｂとなり、ＪＰＥＧ２０００方式で圧縮した場合に比べると約２倍のデータ量となった。
【０１２７】
次に、上記で得られた画像データをそれぞれアイニックス社製の二次元バーコード生成ソフトを用いて二次元バーコード化し、該二次元バーコード画像を図５に示すように認証カード５の裏面に印刷した。
【０１２８】
その結果、ＪＰＥＧ方式を用いた場合に比べ、ＪＰＥＧ２０００方式を用いた場合は、二次元バーコード５１の印刷領域を約７０％にすることが可能になった。
【０１２９】
また、上記実施例１で作成した付帯データのデータ量は１３５ｂｙｔｅであるので、ＪＰＥＧ２０００方式で圧縮した画像データと併せて付帯データを二次元バーコード化して印刷しても、そのバーコード面積は僅かに増加するだけであった。
【０１３０】
勿論、認証カード５の面積に余裕があり、二次元バーコード５１を印刷する領域に余裕があれば、ＪＰＥＧ２０００方式を用いて画像データを圧縮する際の圧縮率を高くすることができるし、付帯データに他の情報を追加したり、日本語を用いてもよい。
【０１３１】
〈実施例３〉
実施例１で用いた元画像データ（３８４×４８０、色数３、階調数２５６（３色８ｂｉｔ）（約５５３Ｋｂ））と同じデータ量を持つ他の元画像データを複数用いて、実施例１と同様にそれぞれＪＰＥＧ２０００方式で圧縮した。
また、上記と同じ複数の元画像データを、実施例２と同様にＪＰＥＧ方式で圧縮した。このとき、ＪＰＥＧ２０００方式で圧縮した場合と同程度の画質になるように圧縮率を調整した。
【０１３２】
圧縮する元画像データの被写体によって多少異なるが、ＪＰＥＧ２０００方式で圧縮すると、ＪＰＥＧ方式で圧縮した場合と比較して約５０％のデータ量となった。各画像データと、それに対応する被写体に関連した付帯データとをサーバに記憶させたところ、ＪＰＥＧ２０００方式を用いることにより約２倍の被写体数の認証情報を記憶させることができた。
【０１３３】
〈実施例４〉
上記実施例１〜３において、圧縮に用いた元画像データ（３８４×４８０）のうち、元の画像と横幅は同じで、高さを被写体（人の胸像）の頭頂から画像の底辺までとした３８４×３６０の領域を元画像データの主要部を含む領域とした（図３参照）。この領域をＲＯＩとし、その他の領域を非ＲＯＩとし、ＲＯＩと非ＲＯＩをそれぞれ一つの最小データ圧縮単位として圧縮処理を行った。
【０１３４】
ここで、ＲＯＩについてはＲＯＩ領域に属している係数を非ＲＯＩ領域に対し、非ＲＯＩの最上位ビットよりもＲＯＩの最下位ビットが上になるようにシフトアップし、両領域で符号化されるビットを変えた。
【０１３５】
このようにして、ＪＰＥＧ２０００方式に基づいた符号化を行うことで、圧縮された画像データは８．５Ｋｂとなり、元画像データの主要部（この場合は被写体の全て）の画質を維持したまま、より小さい画像データとすることができた。
【０１３６】
〈実施例５〉
上記実施例１〜３において、ＩＣカード、二次元バーコード、サーバの記憶媒体等に付帯データを記憶させる際に、付帯データをＸＭＬ形式で記述し（下記付帯データ例２参照）、ＪＰＥＧ２０００の標準ファイルフォーマット中にオプションで用意されているＸＭＬボックスに記憶させた。
【０１３７】
ＸＭＬ形式で記述した場合、タグや規定の書式の分だけデータ量が増える（この場合は３８７ｂｙｔｅ）が、データが階層的に管理されており、かつ、何の項目について記録されているかが容易に分かる。
【０１３８】
2004234340.tif 000005
【０１３９】
上記では、ＸＭＬ形式に則って記述した一例を示したが、階層やタグの名前等は自由につけてよいし、その他ＸＭＬで規定されている名前空間（ｎａｍｅｓｐａｃｅ）等の他の機能を用いて記述してもよい。
【０１４０】
タグの名前を統一すれば、共通でこの個人情報を用いることが可能になるとともに、一つのＸＭＬ処理プログラムを共用することができる。また、データを追加する場合にも、追加する情報のタグ名を規定すれば、処理プログラムにその処理部分を追加するのみで対応することができる。
また、ここでは付帯データをＪＰＥＧ２０００のファイル中に記憶させたが、画像データと別のファイルに記憶させることも勿論可能である。
【０１４１】
〈実施例６〉
上記実施例１で作成したＪＰＥＧ２０００画像が画像データとして記憶された認証カード４または比較例１で作成したＪＰＥＧ画像が記憶された認証カードとに基づいて被写体の認証を行った。認証は、第５の実施の形態で説明した認証システム７を利用して行った。
【０１４２】
まず、認証情報入力装置７２を介して、被写体の実画像データと付帯データとを取得した（図７、ステップＳ１、Ｓ２参照）。これにより得られた実画像データと認証カード４に記憶されたＪＰＥＧ２０００画像との照合を行った。このとき、画像データのみで被写体が一致すると判断できた割合は８０％であった。
【０１４３】
これに対して、認証情報入力装置７２を介して得られた実画像データと、認証カードに記憶されたＪＰＥＧ画像との照合のみで被写体が一致すると判断できた割合は５２％であった。すなわち、ＪＰＥＧ画像を用いた場合、画像データのみによる照合の精度が低いため、付帯データに基づく認証が主となり、顔の特徴が類似する人も認証される場合があるが、ＪＰＥＧ２０００画像を用いると画像データのみによる照合の精度が高く、被写体が同一でないものをふるい落とすことができ、認証の精度を向上することができる。
【０１４４】
【発明の効果】
請求項１に記載の発明によれば、主要部データは元画像データの主要部を含む領域が一つの最小データ圧縮単位として圧縮処理されているので、復号化したときに当該領域についてはブロックノイズやモスキートノイズが発生しない。このため、同程度の圧縮率である場合、元画像データの主要部を複数の領域に分割して圧縮処理を行った場合に比べて、高い画質の画像データを提供することができ、認証の精度を向上することができる。
【０１４５】
請求項２記載の発明によれば、主要部データは元画像データの主要部を含む領域が一つの最小データ圧縮単位として圧縮処理されているので、当該領域を復号化したときに、ブロックノイズやモスキートノイズを抑えることができる。このため、同程度の圧縮率である場合、元画像データの主要部を複数の領域に分割して圧縮処理を行った場合に比べて、高い画質の画像データを提供することができ、認証の精度を向上することができる。
【０１４６】
さらに、二次元バーコードは従来の１次元バーコードと比較すると、単位面積当たりの情報量が高く、偽造が困難であるのでセキュリティを向上することができる。
【０１４７】
請求項３記載の発明によれば、元画像データの主要部を例えばＪＰＥＧ２０００等のウェーブレット変換を利用する圧縮技術を用いて圧縮処理することにより、復号化したときのブロックノイズやモスキートノイズの発生を防ぐことができる。したがって、従来と同程度の圧縮率でもより高画質な画像データを記憶させることができる。言い換えれば、圧縮率を高くしても画質の劣化を防止することができる。よって、記憶媒体の記憶容量が小さい場合でも高画質な画像データを記録することができ、かつ、記憶容量が大きい記憶媒体にはより多くのユーザ等の認証情報を記憶させることができる。
【０１４８】
請求項４記載の発明によれば、認証の際に不要な、元画像データの主要部以外の領域を高い圧縮率で圧縮処理することができるので、画像データのデータ量を低くすることができる。
あるいは、画像データのデータ量が同じ場合、元画像データの全ての領域を一律の圧縮率で圧縮する場合に対して、元画像データの主要部を含む領域の圧縮率を低く、それ以外の領域の圧縮率を高くすることにより、元画像データの主要部を含む領域の画質を向上することができる。
【０１４９】
請求項５記載の発明によれば、付帯データはカテゴリー毎に意味付けされたテキスト形式で記述されるので、付帯データに含まれる情報がどのカテゴリーに分類されるのかを容易に判断することができ、情報の管理や、情報の照会がより容易になる。
【０１５０】
請求項６記載の発明によれば、付帯データは画像データが記憶されるファイルと同一のファイルに記憶されるので、画像データと付帯データとを逐次対応させる負荷が軽減される。
【０１５１】
請求項７記載の発明によれば、請求項１〜６のいずれか一項と同様の効果が得られる。
【０１５２】
請求項８記載の発明によれば、被写体の認証を行う際に、認証に供される被写体の実画像を認証カードに記憶された画像データと照合するだけでなく、付帯データを認証カードに記憶された付帯データと照合することにより、認証の精度を上げることができる。
【０１５３】
すなわち、画像の自動認識技術を用いて画像の照合を行う際に、完全に一致すると判断するのは困難であるので、両者の照合率を求め、その照合率が予め定めた基準値以上であるか否かによりユーザを認証することになるが、ユーザのＩＤ番号やパスワードのようなユーザに関連した付帯データを共に照合することによって精度を向上することができる。
【０１５４】
請求項９記載の発明によれば、実画像データと画像データとを照合する際に、全データを照合するのではなく、実画像データの主要部を含む領域と、画像データに含まれる主要部データとを照合すればよいので、照合の際の負荷が軽減される。
【０１５５】
請求項１０記載の発明によれば、認証情報にはそれぞれ画像データと付帯データとが含まれているので、画像だけでなく付帯データを合わせて照合することにより照合の精度を向上させることができる。
【０１５６】
請求項１１記載の発明によれば、請求項７と同様の効果が得られるのは勿論のこと、認証情報にはそれぞれ画像データと付帯データとが含まれているので、画像だけでなく付帯データを合わせて照合することにより照合の精度を向上させることができる。
【図面の簡単な説明】
【図１】本発明に係る元画像データの主要部を含む領域（（ａ）矩形領域、（ｂ）台形領域、（ｃ）円形領域）を示す図である。
【図２】本発明に係る元画像データの主要部を含む領域を示す図である。
【図３】本発明に係る元画像データの主要部を含む領域を示す図である。
【図４】本発明に係る認証カードの一例を示す図である。
【図５】本発明に係る認証カードの他の例を示す図である。
【図６】本発明に係る認証装置の機能的構成を示す図である。
【図７】本発明に係る認証処理の手順を示すフローチャートである。
【図８】図７のステップＳ４およびステップＳ５を説明するための図である。
【図９】図７のステップＳ４およびステップＳ５を説明するための図である。
【図１０】本発明に係る認証システムの一例を示す図である。
【符号の説明】
１    元画像
１１  被写体
１１ａ  主要部を含む領域
１１ｂ  主要部を含む領域
１１ｃ  主要部を含む領域
２    元画像
２１  被写体
２１ａ  主要部を含む領域
３    元画像
３１  被写体
３１ａ  主要部を含む領域
４    認証カード
４１  ＩＣチップ
５    認証カード
５１  二次元バーコード
６    認証装置
６１  記憶媒体
６３  認証情報入力部
６３ａ  撮像手段
６３ｂ  付帯データ入力手段
６６  ＣＰＵ（認証部）
７    認証システム
７１  認証情報読取装置
７２  認証情報入力装置
７２ａ  撮像手段
７２ｂ  付帯データ入力手段
７３  認証装置
【図１】
2004234340.tif 000006
【図２】
2004234340.tif 000007
【図３】
2004234340.tif 000008
【図４】
2004234340.tif 000009
【図５】
2004234340.tif 000010
【図６】
2004234340.tif 000011
【図７】
2004234340.tif 000012
【図８】
2004234340.tif 000013
【図９】
2004234340.tif 000014
【図１０】
2004234340.tif 000015